(57)【特許請求の範囲】
【請求項１】
ローカルバスに接続されると共に管理装置に蓄積させる計測データを入力信号に基づいて生成する複数の計測モジュールと、当該各計測モジュールに電源を供給する電源モジュールとを備えた計測ユニットを複数備えて構成された計測システムであって、
前記各計測ユニットのうちの少なくとも１つは、不揮発性の第１の記憶部と、前記各計測ユニット内の前記各計測モジュールによって生成された前記各計測データを予め規定された条件に従って前記第１の記憶部に記憶させる制御部とを有して前記ローカルバスに接続された記憶モジュールを備えて構成され、
前記各計測ユニットのうちの他の少なくとも１つは、前記記憶モジュールを備えることなく構成されている計測システム。
【請求項２】
ローカルバスに接続されると共に管理装置に蓄積させる計測データを入力信号に基づいて生成する複数の計測モジュールと、当該各計測モジュールに電源を供給する電源モジュールとを備えた計測ユニットを複数備えて構成された計測システムであって、
前記各計測ユニットのうちの複数の当該計測ユニットが、不揮発性の第１の記憶部と、前記各計測ユニット内の前記各計測モジュールによって生成された前記各計測データを予め規定された条件に従って前記第１の記憶部に記憶させる制御部とを有して前記ローカルバスに接続された記憶モジュールをそれぞれ備えて構成されると共に、当該各記憶モジュールが当該各計測モジュールによって生成されたすべての前記計測データを分散して記憶する１つの記憶要素として機能するように構成されている計測システム。
【請求項３】
前記記憶モジュールは、前記第１の記憶部としての着脱自在な情報記憶媒体と、当該情報記憶媒体を装着可能に構成された媒体装着部とを備えている請求項１または２記載の計測システム。
【請求項４】
前記記憶モジュールは、前記各計測データを一時的に記憶可能な第２の記憶部を備え、
前記制御部は、前記各計測ユニット内の前記各計測モジュールによって生成された前記各計測データを前記第２の記憶部に記憶させた後に、当該第２の記憶部に記憶させた当該各計測データを前記第１の記憶部に記憶させる請求項１から３のいずれかに記載の計測システム。
【請求項５】
前記記憶モジュールは、前記管理装置に対して通信網を介して接続する通信部を備え、
前記制御部は、予め規定された送信条件が満たされたときに、前記通信部を制御して前記第１の記憶部に記憶されている前記各計測データを前記管理装置に送信させる請求項１から４のいずれかに記載の計測システム。
【発明の詳細な説明】
【技術分野】
【０００１】
本発明は、ローカルバスに接続された複数の計測モジュールを備えて構成された計測システムに関するものである。
【背景技術】
【０００２】
例えば、特開平５−３１２６０１号公報には、測定波形データ（計測データ）を生成する複数の測定モジュール（計測モジュール）と、各測定モジュールによって生成された測定波形データを収集して（蓄積して）管理する汎用パーソナル・コンピュータ（管理装置：以下、「パソコン」ともいう）とが相互に接続されて構成された計測システムが開示されている。この計測システムでは、上記の各測定モジュールとパソコンとの間に表示・操作手段（以下、「表示操作手段」ともいう）が配設されている。この場合、この計測システムでは、各測定モジュールと表示操作手段とが高速通信手段を介して相互に接続されると共に、表示操作手段とパソコンとが通信ラインを介して相互に接続されている。
【０００３】
この計測システムでは、表示操作手段の操作手段を操作して各測定モジュールの動作条件（測定条件）をそれぞれ調整することで、各測定モジュールによって測定波形データが生成される。この際には、表示操作手段の表示手段に測定モジュールによって生成された（測定用モジュールから出力された）測定波形データに基づく測定結果が表示される。また、各測定モジュールによって生成された測定波形データは、表示操作手段によって通信ラインを介してパソコンに送信される。これにより、計測システム内の各測定モジュールによって生成された各測定波形データがパソコンの記憶装置に蓄積される。
【特許文献１】特開平５−３１２６０１号公報（第３頁、第１図）
【発明の開示】
【発明が解決しようとする課題】
【０００４】
ところが、従来の計測システムには、以下の問題点がある。すなわち、従来の計測システムでは、高速通信手段、表示操作手段および通信ラインを介して各測定モジュールとパソコンとを相互に接続して測定波形データを測定モジュールからパソコンに送信する構成が採用されている。これにより、従来の計測システムによれば、例えば、パソコンから遠く離れた場所に設置された各測定モジュールによって生成された各測定波形データを比較的容易にパソコンの記憶装置に蓄積して管理することが可能となっている。しかしながら、従来の計測システムでは、測定波形データを蓄積するパソコン、および各測定モジュールからの測定波形データをパソコンに転送する表示操作手段の双方が作動していることを条件として、各測定モジュールからの測定波形データがパソコンに送信されて蓄積される構成となっている。
【０００５】
したがって、例えば、パソコンの設置場所において停電が発生してパソコンが停止したときには、たとえ各測定モジュールが作動していたとしても、生成された各測定波形データがパソコンに蓄積されずに消失することとなる。また、パソコンおよび各測定モジュールが作動していたとしても、表示操作手段が停止している状態においては、各測定波形データがパソコンに蓄積されずに消失することとなる。このように、従来の計測システムには、測定モジュールによって測定波形データが正常に生成されたとしても、その測定波形データがパソコンに蓄積されずに消失することがあるという問題点が存在する。
【０００６】
この場合、出願人は、各計測モジュール（測定モジュール）内に計測データ（測定波形データ）を一時的に記憶する記憶部を配設して、管理装置（パソコン）に送信する計測データを計測モジュール内の記憶部に保持するように構成した計測システムを開発している。これにより、出願人が開発している計測システムによれば、管理装置の動作が停止したとしても、ある程度の量の計測データを計測モジュール内に保持しておくことで、その消失を回避することが可能となっている。しかしながら、出願人が開発している計測システムでは、十分な量の計測データを保持可能に大容量の記憶部を各計測モジュールにそれぞれ配設した場合には、計測モジュールの製造コストが高騰するおそれがある。
【０００７】
本発明は、かかる問題点に鑑みてなされたものであり、製造コストの高騰を招くことなく、計測データの消失を確実に回避し得る計測システムを提供することを主目的とする。
【課題を解決するための手段】
【０００８】
上記目的を達成すべく、請求項１記載の計測システムは、ローカルバスに接続されると共に管理装置に蓄積させる計測データを入力信号に基づいて生成する複数の計測モジュールと、当該各計測モジュールに電源を供給する電源モジュールとを備えた計測ユニットを複数備えて構成された計測システムであって、前記各計測ユニットのうちの少なくとも１つは、不揮発性の第１の記憶部と、前記各計測ユニット内の前記各計測モジュールによって生成された前記各計測データを予め規定された条件に従って前記第１の記憶部に記憶させる制御部とを有して前記ローカルバスに接続された記憶モジュールを備えて構成され、前記各計測ユニットのうちの他の少なくとも１つは、前記記憶モジュールを備えることなく構成されている。
また、請求項２記載の計測システムは、ローカルバスに接続されると共に管理装置に蓄積させる計測データを入力信号に基づいて生成する複数の計測モジュールと、当該各計測モジュールに電源を供給する電源モジュールとを備えた計測ユニットを複数備えて構成された計測システムであって、前記各計測ユニットのうちの複数の当該計測ユニットが、不揮発性の第１の記憶部と、前記各計測ユニット内の前記各計測モジュールによって生成された前記各計測データを予め規定された条件に従って前記第１の記憶部に記憶させる制御部とを有して前記ローカルバスに接続された記憶モジュールをそれぞれ備えて構成されると共に、当該各記憶モジュールが当該各計測モジュールによって生成されたすべての前記計測データを分散して記憶する１つの記憶要素として機能するように構成されている。
【０００９】
また、請求項３記載の計測システムは、請求項１または２記載の計測システムにおいて、前記記憶モジュールが、前記第１の記憶部としての着脱自在な情報記憶媒体と、当該情報記憶媒体を装着可能に構成された媒体装着部とを備えている。
【００１０】
さらに、請求項４記載の計測システムは、請求項１から３のいずれかに記載の計測システムにおいて、前記記憶モジュールが、前記各計測データを一時的に記憶可能な第２の記憶部を備え、前記制御部が、前記各計測ユニット内の前記各計測モジュールによって生成された前記各計測データを前記第２の記憶部に記憶させた後に、当該第２の記憶部に記憶させた当該各計測データを前記第１の記憶部に記憶させる。
【００１１】
また、請求項５記載の計測システムは、請求項１から４のいずれかに記載の計測システムにおいて、前記記憶モジュールが、前記管理装置に対して通信網を介して接続する通信部を備え、前記制御部が、予め規定された送信条件が満たされたときに、前記通信部を制御して前記第１の記憶部に記憶されている前記各計測データを前記管理装置に送信させる。
【発明の効果】
【００１２】
請求項１または２記載の計測システムによれば、不揮発性の第１の記憶部と、各計測ユニット内の各計測モジュールによって生成された各計測データを予め規定された条件に従って第１の記憶部に記憶させる制御部とを有してローカルバスに接続された記憶モジュールを備えたことにより、各計測モジュールによって生成された計測データを蓄積すべき管理装置が停電などに起因して動作を停止したとしても、管理装置の動作停止中に生成される計測データが記憶モジュールの第１の記憶部に保存されるため、その消失を回避することができる。また、ローカルバスに接続された各計測モジュールによって生成される各計測データを記憶モジュール（第１の記憶部）に記憶させることができるため、各計測モジュール毎に大容量の記憶部を配設する必要がなくなる分だけ、計測モジュールの製造コストを十分に低減することができる。
【００１３】
また、請求項３記載の計測システムによれば、第１の記憶部としての着脱自在な情報記憶媒体と、情報記憶媒体を装着可能に構成された媒体装着部とを備えて記憶モジュールを構成したことにより、記憶モジュールと管理装置とを通信網によって相互に接続するのが困難な環境下や、通信網を介した記憶モジュールおよび管理装置間の通信が不通となっている状況下においても、記憶モジュールから第１の記憶部を取り外して管理装置に接続することで、第１の記憶部に記憶させた各計測データを管理装置に転送して確実に蓄積することができる。
【００１４】
さらに、請求項４記載の計測システムによれば、記憶モジュールの制御部が各計測モジュールによって生成された各計測データを第２の記憶部に記憶させた後に第２の記憶部に記憶させた各計測データを第１の記憶部に記憶させることにより、媒体装着部から第１の記憶部を取り外している間（第１の記憶部に対する計測データの記憶ができない間）に各計測モジュールから送信される計測データを第２の記憶部に記憶させておくことができる結果、その計測データが第１の記憶部に記憶されずに消失する事態を確実に回避することができる。
【００１５】
また、請求項５記載の計測システムによれば、記憶モジュールの制御部が予め規定された送信条件が満たされたときに通信部を制御して第１の記憶部に記憶されている各計測データを管理装置に送信させることにより、各計測データの記憶によって第１の記憶部の記憶可能容量が不足し、その後に送信される計測データを記憶すべき領域が不足して計測データの消失を招くといった事態を回避することができる。
【発明を実施するための最良の形態】
【００１６】
以下、添付図面を参照して、本発明に係る計測システムの最良の形態について説明する。
【００１７】
最初に、計測システム１の構成について、図面を参照して説明する。
【００１８】
図１に示す計測システム１は、ＣＡＮバス６（本発明における「ローカルバス」の一例）を介して複数の計測モジュール２および記憶モジュール３が相互に接続されたシステムであって、計測対象体（図示せず）の近傍（一例として、同図に示す設置場所Ａａ〜Ａｃ：以下、区別しないときには、「設置場所Ａ」ともいう）に設置した各計測モジュール２によって計測対象体についての電気的パラメータをそれぞれ計測して計測データＤ（計測データＤａ〜Ｄｃ）を生成し、生成した各計測データＤを記憶モジュール３に蓄積した後に、管理装置５に転送して蓄積することが可能に構成されている。
【００１９】
また、この計測システム１では、複数の計測モジュール２と、各計測モジュール２に電源を供給する電源モジュール４とによって計測ユニット（一例として同図に示す計測ユニットＵａ〜Ｕｃ：以下、区別しないときには、「計測ユニットＵ」ともいう）が構成されている。なお、図１では、計測ユニットＵａ〜Ｕｃがそれぞれ２つの計測モジュール２を備えて構成されている例を図示しているが、本発明における計測ユニットを構成する各計測ユニットＵに配設する計測モジュール２の数はこれに限定されず、必要に応じて、３つ以上の計測モジュール２を配設して１つの計測ユニットＵを構成することができる。
【００２０】
さらに、計測システム１内の複数の計測ユニットＵのうちの少なくとも１つ（この例では、計測ユニットＵａの１つ）は、記憶モジュール３を備えて構成されている。この場合、同図では、計測システム１内の１つの計測ユニットＵ（この例では、計測ユニットＵａ）が記憶モジュール３を備えている例を図示しているが、１つの計測システム１内に配設する記憶モジュール３の数（記憶モジュール３を備えた計測ユニットＵの数）はこれに限定されず、１つの計測システム１内に２つ以上の任意の数の記憶モジュール３を配設する（記憶モジュール３を有する計測ユニットＵを２つ以上の任意の数だけ配設する）構成を採用することができる。この場合、１つの計測システム１内に複数の記憶モジュール３を配設した場合（記憶モジュール３を備えた計測ユニットＵを複数備えて構成した場合）には、各記憶モジュール３は、すべての計測ユニットＵの各計測モジュール２によって生成されたすべての各計測データＤを分散して記憶する１つの記憶要素として機能する。
【００２１】
計測モジュール２は、図２に示すように、計測部１１、記憶部１２、バスＩ／Ｆ部１３および制御部１４を備えて構成されている。計測部１１は、測定対象体についての入力信号ＳｉをＡ／Ｄ変換処理して計測データＤ（一例として、電流値、電圧値および温度などを示すデータ）を生成する。記憶部１２は、制御部１４の制御に従って計測部１１によって生成された計測データＤを一時的に記憶する。バスＩ／Ｆ部１３は、計測モジュール２を別個独立してＣＡＮバス６に接続させるためのインターフェースであって、後述するようにして記憶モジュール３を介して管理装置５から送信された計測指示コマンドを受信すると共に、制御部１４の制御下で計測データＤを記憶モジュール３に送信する。
【００２２】
制御部１４は、計測指示コマンドに従って計測部１１を制御して、一例として、１０秒間隔で計測データＤを生成させる。また、制御部１４は、計測部１１によって生成された計測データＤ（計測部１１から出力された計測データＤ）を記憶部１２に順次記憶させる。この場合、この計測モジュール２では、記憶部１２がリングバッファとして機能して、その記憶領域が所定量以下となったときに、最先の計測データＤの記憶領域に最新の計測データＤが上書きされる。これにより、所定数分の最新の計測データＤが記憶部１２に記憶される。また、制御部１４は、記憶モジュール３からの送信要求に応じて記憶部１２に記憶されている計測データＤを記憶モジュール３に送信する。
【００２３】
記憶モジュール３は、図３に示すように、通信部２１、記憶部２２、バスＩ／Ｆ部２３、メモリカードＩ／Ｆ部２４、メモリカード２５および制御部２６を備えて構成されている。通信部２１は、ＬＡＮ７（本発明における「通信網」の一例）を介して記憶モジュール３を管理装置５に接続することにより、この記憶モジュール３を介して、ＣＡＮバス６に接続されている各計測ユニットＵａ〜Ｕｃ（各計測モジュール２）を管理装置５に接続する。記憶部２２は、本発明における第２の記憶部に相当し、一例として、ＤＲＡＭで構成されている。この記憶部２２は、制御部２６の制御に従って計測モジュール２から送信された計測データＤを一時的に記憶する。
【００２４】
バスＩ／Ｆ部２３は、記憶モジュール３をＣＡＮバス６に接続するためのインターフェースであって、後述するようにしてＬＡＮ７を介して管理装置５から送信された計測指示コマンドを各計測モジュール２に送信すると共に、各計測モジュール２から送信された計測データＤを受信して制御部２６に出力する。メモリカードＩ／Ｆ部２４は、本発明における媒体装着部に相当し、本発明における第１の記憶部としての情報記録媒体に相当するメモリカード２５を装着可能に構成されている。メモリカード２５は、一例として、コンパクトフラッシュ（登録商標：着脱自在な不揮発性情報記憶媒体の一例）で構成されて、制御部２６の制御に従い、各計測モジュール２によって生成された計測データＤを記憶する。
【００２５】
制御部２６は、利用者によって設定された条件（一例として、１分間隔との条件：本発明における「予め規定された条件」の一例）に従って各計測モジュール２に対して計測データＤの送信を要求する。また、制御部２６は、ＣＡＮバス６を介して各計測モジュール２から送信された計測データＤを記憶部２２に一時的に記憶させ、記憶部２２に対して先に記憶させた計測データＤから順にメモリカードＩ／Ｆ部２４を介してメモリカード２５に順次記憶させる。さらに、制御部２６は、上記の設定条件において設定されたデータ送信時刻が到来したとき（一例として、１時間に１回：本発明における「予め規定された送信条件が満たされたとき」の一例）、または、管理装置５から計測データＤの送信要求があったとき（本発明における「予め規定された送信条件が満たされたとき」の他の一例）に、メモリカード２５内に記憶されている各計測データＤを読み出してＬＡＮ７を介して管理装置５に送信する。
【００２６】
一方、管理装置５は、計測システム１を総括的に管理する装置であって、一例として、ＬＡＮ７に接続可能なパーソナルコンピュータで構成されている。この管理装置５は、ＣＡＮバス６に接続された各計測モジュール２に対して、ＬＡＮ７、記憶モジュール３およびＣＡＮバス６を介して計測指示コマンドを送信することにより、所定時間間隔（この例では、１０秒間隔）で計測対象体についての計測処理を実行させて計測データＤをそれぞれ生成させる。また、管理装置５は、各計測モジュール２によって生成されて記憶モジュール３のメモリカード２５に保存された計測データＤをＬＡＮ７を介して回収して、例えばハードディスクドライブ等の情報記憶媒体に蓄積すると共に、蓄積した各計測データＤに基づく各種の分析処理や計測データＤに基づく計測結果の表示処理などを実行する。
【００２７】
この場合、管理装置５には、本発明における第１の記憶部（この例では、メモリカード２５）から計測データＤを読み出すことができるように、メモリカードリーダ装置（図示せず）が接続されている。これにより、この計測システム１では、後述するように、記憶モジュール３（メモリカード２５）に保存された計測データＤをＬＡＮ７を介して回収するだけでなく、記憶モジュール３から取り外したメモリカード２５から各計測データＤを直接読み出して回収することが可能となっている。
【００２８】
次に、計測システム１による測定対象体についての電気的パラメータの測定方法、および計測データＤの蓄積方法について、添付図面を参照して説明する。
【００２９】
この計測システム１の使用に際しては、まず、必要に応じた数の計測モジュール２と電源モジュール４とを組み合わせて必要数の計測ユニットＵを構成して各設置場所Ａに設置する。この場合、前述したように、一例として、設置場所Ａａには、２つの計測モジュール２、記憶モジュール３および電源モジュール４を有する計測ユニットＵａを設置すると共に、設置場所Ａｂ，Ａｃには、２つの計測モジュール２および電源モジュール４を有する計測ユニットＵｂ，Ｕｃを設置する。次いで、各設置場所Ａａ〜Ａｃに設置した計測ユニットＵａ〜ＵｃをＣＡＮバス６にそれぞれ接続すると共に、計測ユニットＵａの記憶モジュール３（通信部２１）をＬＡＮ７に接続する。
【００３０】
続いて、管理装置５の操作部（図示せず）を操作して、各計測モジュール２による計測処理の条件（この例では、１０秒間隔で計測データＤを生成するとの条件）を設定すると共に、設定した条件で計測処理を実行する旨の計測指示コマンドを各計測モジュール２に送信する。この際には、管理装置５から出力された各計測指示コマンドが、ＬＡＮ７、記憶モジュール３およびＣＡＮバス６を介して計測モジュール２に送信される。これに応じて、計測モジュール２の制御部１４が、計測部１１を制御して入力信号Ｓｉについての計測データＤを生成させる。
【００３１】
この際に、制御部１４は、前述したように、計測部１１によって１０秒間隔で生成される計測データＤを記憶部１２に順次記憶させる。この場合、この計測モジュール２では、後述するようにして記憶部１２に記憶されている計測データＤが例えば１分間に１回の割合で記憶モジュール３に送信される。したがって、記憶部１２の記憶可能容量は、一例として、１０秒間隔で順次生成される計測データＤを９０秒分程度保持することが可能に（９つ程度の計測データＤを保持することが可能に）十分に大きな容量となっている。したがって、例えばＣＡＮバス６が輻輳状態となって計測データＤのスムーズな送信が困難な状況になったとしても、記憶モジュール３に対する送信が完了していない計測データＤをある程度保持しておくことが可能となっている。これにより、記憶モジュール３に対する送信が完了する前に計測データＤが消失する事態が回避されている。
【００３２】
また、記憶モジュール３の制御部２６は、上記の設定条件に従い、１分につき１回の割合で各計測モジュール２に対して計測データＤの送信を要求する。これに応じて、計測モジュール２の制御部１４は、バスＩ／Ｆ部１３を制御して、記憶部１２に記憶させた各計測データＤをＣＡＮバス６を介して記憶モジュール３に順次送信する。これにより、計測ユニットＵａの２つの計測モジュール２，２からは、最新の６つの計測データＤａ（直前の１分に測定された計測データＤａ）がそれぞれ送信され、計測ユニットＵｂの２つの計測モジュール２，２からは、最新の６つの計測データＤｂ（直前の１分に測定された計測データＤｂ）がそれぞれ送信され、計測ユニットＵｃの２つの計測モジュール２，２からは、最新の６つの計測データＤｃ（直前の１分に測定された計測データＤｃ）がそれぞれ送信される。
【００３３】
一方、記憶モジュール３の制御部２６は、計測ユニットＵａ〜Ｕｃの各計測モジュール２によって送信された計測データＤａ〜Ｄｃを一例として着信順で記憶部２２に順次記憶させる。また、制御部２６は、記憶部２２に記憶させた計測データＤから順に、いずれの計測モジュール２から送信されたかを特定可能にメモリカード２５に記憶させる。これにより、各計測データＤａ〜ＤｃがメモリカードＩ／Ｆ部２４を介して不揮発性のメモリカード２５に保存される。また、制御部２６は、所定時間おき（この例では、１時間おき）に、メモリカードＩ／Ｆ部２４を介してメモリカード２５内の各計測データＤａ〜Ｄｃを読み出し、その各計測データＤａ〜ＤｃをＬＡＮ７を介して管理装置５に送信する。この際に、管理装置５は、記憶モジュール３から送信された計測データＤａ〜Ｄｃをハードディスクドライブ等の情報記憶媒体に記憶させる。
【００３４】
これにより、管理装置５に対する蓄積が完了していない計測データＤの記憶によってメモリカード２５の記憶可能容量が不足する前に、各計測ユニットＵの各計測モジュール２によって生成された多数の計測データＤａ〜Ｄｃが管理装置５に蓄積される。この場合、この計測システム１では、本発明における第１の記憶部に相当するメモリカード２５が不揮発性の情報記憶媒体で構成されている。また、記憶モジュール３のメモリカードＩ／Ｆ部２４には、一例として、１日程度の間に各計測モジュール２によって生成される計測データＤａ〜Ｄｃを記憶するのに十分な大容量のメモリカード２５が装着されている。したがって、例えば管理装置５の設置場所において停電が発生して管理装置５の動作が停止したとしても、管理装置５の動作停止中に各計測モジュール２によって生成される計測データＤａ〜Ｄｃがメモリカード２５内に保存された状態が維持される。これにより、管理装置５に対する送信が完了する前に計測データＤａ〜Ｄｃが消失する事態が回避されている。
【００３５】
一方、この計測システム１では、記憶モジュール３のメモリカード２５に保存した各計測データＤａ〜ＤｃをＬＡＮ７を介して管理装置５に送信する上記の方法に代えて、各計測データＤａ〜Ｄｃが記憶されているメモリカード２５を記憶モジュール３（メモリカードＩ／Ｆ部２４）から取り外して管理装置５のメモリカードリーダに装着することで、メモリカード２５から直接読み出して管理装置５に蓄積する方法を採用することができる。したがって、例えば、記憶モジュール３と管理装置５とが遠く離れていることに起因して記憶モジュール３と管理装置５とをＬＡＮ７によって相互に接続するのが困難な場合や、ＬＡＮ７自体の設置が困難な場合においても、記憶モジュール３（メモリカード２５）に保存した各計測データＤａ〜Ｄｃを管理装置５に回収して（蓄積して）管理することが可能となっている。
【００３６】
この場合、この計測システム１では、記憶モジュール３が記憶部２２を備え、制御部２６が、各計測モジュール２から送信された計測データＤａ〜Ｄｃを記憶部２２に記憶させた後にメモリカード２５に記憶させる構成が採用されている。したがって、メモリカードＩ／Ｆ部２４からメモリカード２５を取り外して他のメモリカード２５を装着するまでの間に各計測モジュール２から計測データＤａ〜Ｄｃが送信されたとしても、この計測データＤａ〜Ｄｃがいずれの記憶部にも保存されずに消失するという事態が回避される。具体的には、この計測システム１では、メモリカードＩ／Ｆ部２４からメモリカード２５が取り外されている間に各計測モジュール２から送信された計測データＤａ〜Ｄｃが上記したように記憶部２２に順次記憶させられると共に、メモリカードＩ／Ｆ部２４に新たなメモリカード２５が装着されたときには、制御部２６が、記憶部２２内の各計測データＤａ〜Ｄｃを新たなメモリカード２５に記憶させる。また、新たなメモリカード２５に記憶された計測データＤａ〜Ｄｃは、上記したいずれかの方法によって管理装置５に転送されて管理装置５内に蓄積される。
【００３７】
このように、この計測システム１によれば、不揮発性のメモリカード２５（第１の記憶部）と、各計測ユニットＵａ〜Ｕｃ内の各計測モジュール２によって生成された各計測データＤａ〜Ｄｃを予め規定された条件に従ってメモリカード２５に記憶させる制御部２６とを有してＣＡＮバス６（ローカルバス）に接続された記憶モジュール３を備えたことにより、各計測モジュール２によって生成された計測データＤを蓄積すべき管理装置５が停電などに起因して動作を停止したとしても、管理装置５の動作停止中に生成される計測データＤが記憶モジュール３のメモリカード２５に保存されるため、その消失を回避することができる。また、ＣＡＮバス６に接続されたすべての計測モジュール２によって生成される各計測データＤを記憶モジュール３（メモリカード２５）に記憶させることができるため、各計測モジュール２毎に大容量の記憶部を配設する必要がなくなる分だけ、計測モジュール２の製造コストを十分に低減することができる。
【００３８】
また、この計測システム１によれば、本発明における第１の記憶部としての着脱自在なメモリカード２５と、メモリカード２５を装着可能に構成されたメモリカードＩ／Ｆ部２４（媒体装着部）とを備えて記憶モジュール３を構成したことにより、記憶モジュール３と管理装置５とをＬＡＮ７等によって相互に接続するのが困難な環境下や、ＬＡＮ７を介した記憶モジュール３および管理装置５間の通信が不通となっている状況下においても、記憶モジュール３（メモリカードＩ／Ｆ部２４）からメモリカード２５を取り外して管理装置５（メモリカードリーダ）に接続することで、メモリカード２５に記憶させた各計測データＤを管理装置５に転送して確実に蓄積することができる。
【００３９】
さらに、この計測システム１によれば、記憶モジュール３の制御部２６が各計測モジュール２によって生成された各計測データＤを記憶部２２（第２の記憶部）に記憶させた後にその記憶部２２に記憶させた各計測データＤをメモリカード２５に記憶させることにより、メモリカードＩ／Ｆ部２４からメモリカード２５を取り外している間（メモリカード２５に対する計測データＤの記憶ができない間）に各計測モジュール２から送信される計測データＤを記憶部２２に記憶させておくことができる結果、その計測データＤがメモリカード２５に記憶されずに消失する事態を確実に回避することができる。
【００４０】
また、この計測システム１によれば、記憶モジュール３の制御部２６が予め規定された送信条件が満たされたとき（この例では、「１時間が経過したとき」または「管理装置５から送信要求があったとき）に通信部２１を制御してメモリカード２５に記憶されている各計測データＤを管理装置５に送信させることにより、各計測データＤの記憶によってメモリカード２５の記憶可能容量が不足し、その後に送信される計測データＤを記憶すべき領域が不足して計測データＤの消失を招くといった事態を回避することができる。
【００４１】
なお、本発明は、上記の構成に限定されない。例えば、本発明における第１の記憶部である情報記録媒体の一例としてのコンパクトフラッシュ（登録商標）で構成されたメモリカード２５に計測データＤを記録する例について説明したが、本発明における情報記録媒体は、これに限定されず、コンパクトフラッシュ以外の各種リムーバブルメディア（メモリカード、磁気ディスク、光ディスク、光磁気ディスクおよびＨＤＤドライブ装置等）がこれに含まれる。また、各計測モジュール２と記憶モジュール３とをＣＡＮバス６を介して相互に接続した例について説明したが、本発明におけるローカルバスはＣＡＮバス６に限定されず、ＲＳ−４８５などの各種ローカルバスを採用することができる。さらに、記憶モジュール３と管理装置５とをＬＡＮ７を介して接続した例について説明したが、本発明における通信網はＬＡＮ７に限定されず、例えば電話回線や専用線で構成されたＷＡＮを用いる構成を採用することができる。
【図面の簡単な説明】
【００４２】
【図１】計測システム１の構成を示すブロック図である。
【図２】計測モジュール２の構成を示すブロック図である。
【図３】記憶モジュール３の構成を示すブロック図である。
【符号の説明】
【００４３】
１  計測システム
２  計測モジュール
３  記憶モジュール
４  電源モジュール
５  管理装置
６  ＣＡＮバス
７  ＬＡＮ
１１  計測部
１２，２２  記憶部
１３，２３  バスＩ／Ｆ部
１４，２６  制御部
２１  通信部
２４  メモリカードＩ／Ｆ部
２５  メモリカード
Ｄａ〜Ｄｃ  計測データ
Ｓｉ  入力信号
Ｕａ〜Ｕｃ  計測ユニット
【図１】
0005133016.tif 000002
【図２】
0005133016.tif 000003
【図３】
0005133016.tif 000004